(57)【要約】      （修正有）【課題】容易なゴミ廃棄性および容易なる移動性を有するケース型のちりとりを提供する。【解決手段】ゴミ収納のための蓋付き収納ケース１を設け、ケースに対し回動可能に取り付けられる柄４を設けるとともに、柄と蓋２とを接続部材にて接続し、柄と収納ケース底部とを紐７にて結びつけ、ケース底部にローラー１２を設けたことを特徴とする。【選択図】図１
0003188428.tif 000002
【実用新案登録請求の範囲】
【請求項１】
ゴミ収納のための蓋付き収納ケースを設け、該ケースに対し回動可能に取り付けられる柄を設けるとともに、該柄と蓋とを接続部材にて接続し、柄と収納ケース底部とを紐にて結びつけ、かつ、ケース底部適所に回動自在なるローラーを設けたことを特徴とするローラーおよび収納部回動用紐付きちりとり。
【請求項２】
収納ケース底部に一対の脚部を設け、該脚部間にワイヤーを張設し、このワイヤーに紐の一端を固定してなる請求項１記載のローラーおよび収納部回動用紐付きちりとり。
【考案の詳細な説明】
【技術分野】
【０００１】  この考案は、ゴミ収納部を柄に対して回動させるための紐とローラーを設けたちりとりに関する。
【背景技術】
【０００２】  従来より、多様なちりとりが利用されているが、本案にて示すように、ゴミ収納部回動用の紐とローラーを有するものは見あたらない。
【考案の概要】
【考案が解決しようとする課題】
【０００３】  ちりとりは、古くからゴミ等を集める場合に、ほうき等にて掃き寄せたゴミを一時的に収容するためのものとして多用されている。握り柄の付いた一体型のものや、蓋の付いたケースに回動可能な柄を有するものなどが一般的によく利用されている。
後者の場合はケース形式なので、前者に比べてより多くのゴミを収容できる利点がある。
ケースの蓋と柄はチェーンその他にて接続されており、ゴミを収納するケース部分を地面に沿わせておくと、柄は直立させているためにケースの蓋が自動的に開き、ケース内にゴミを掃き入れることができる。このまま柄を持ち上げると、ケースは直立して蓋が閉まる。しかし、問題なのはゴミを捨てるときである。ゴミ廃棄場所にゴミの入ったこのケース型のちりとりを持って行き、ケースを傾けて中のゴミを排出するのであるが、このとき、柄を保持したままケースに手を添えて傾けなければならず、煩わしい作業となるのであるが、適当な解決手段が見あたらないのが現状である。
本案は以上に鑑み、ケース底部と柄の間に紐を結びつけることにて、この紐を引くことにてケースを容易に傾けてゴミを排出させることができ、またローラーにてその移動も容易なる新規かつ有用なる手段を提示するべく考案されたものである。
【課題を解決するための手段】
【０００４】  課題を解決する手段として本案は以下の構成とした。
すなわち、ゴミ収納のための蓋付き収納ケースを設け、該ケースに対し回動可能に取り付けられる柄を設けるとともに、該柄と蓋とを接続部材にて接続し、柄と収納ケース底部とを紐にて結びつけ、かつ、ケース底部適所に回動自在なるローラーを設ける。
本案は以上の構成よりなるローラーおよび収納部回動用紐付きちりとりである。
【考案の効果】
【０００５】  本案によれば、柄とケース底部間とを紐にて結びつけたので、収納したゴミの廃棄時に、この紐を上に引くことにて収納ケースを容易に傾けてゴミを排出することができ、その移動も容易なる有用なる物品を得ることができる。なお、紐保護部材を柄に添設し、該部材内に紐を位置させることにて、紐の位置安定となってスムースな作業を行うことができる。
【図面の簡単な説明】
【０００６】
【図１】  本考案の正面図
【図２】  本考案の要部拡大説明図（一部略）
【図３】  本考案の左側面図
【図４】  本考案の要部拡大説明図
【図５】  本考案の使用説明図
【図６】  本考案の要部説明図
【図７】  本考案の使用説明図（移動時）
【図８】  本考案他例の要部説明図
【図９】  従来例の説明図
【図１０】  従来例の説明図
【考案を実施するための最良の形態】
【０００７】  以下、本考案の実施形態について説明する。
図において、１はゴミ収納のための金属製のケースで、その上部は斜方となる有底上部開放の中空体であり、上部には蓋２が蝶番にて開閉可能に取り付けられる。また、ケース底部は側面視略半円形状に形成されるとともに、図１のごとく一対の合成樹脂製の脚部３が固着されている。４は金属管体による柄で、その上部は略四角状の握持部５となり、下部は略コ字形の二股に分かれてその端部は前記収納ケース側面に回動可能に挿入保持される。６は脚部間に張設されるワイヤー、７は該ワイヤーと握持部間に接続して設けられる紐である。８は柄と蓋とを接続している接続部材で、細チェーンの両端に金属環を設け、一方の金属環内に柄を位置させ、他方の金属環は蓋の裏面に位置している。従って、柄をケースに対し回動させることにて、蓋が自動的に開く構成である。
１０はケース下面に一対設けられる有孔のステー、１１はローラー軸で、各ステーの孔内に圧入されて位置する。１２はローラーで、合成樹脂製の有孔略円柱体であり、その内部には一対のラジアルベアリング１３が位置している。１４は外方キャップ、１５は内方キャップで、各々ローラーに圧入され、ベアリングの外輪を押圧している。【０００８】  本案を使用するには、まず柄を手に持ってケースを直立させ、ゴミのある場所へ移動する。次に、片方の手に柄を持ったまま紐を手前側に引くか上方に向けて引くと、ケースは回動し、ケースが地面もしくは床面と平行になるまで回動させ、図５のようにケースを地面等に沿わせて位置させる。あるいは、ケース底部を地面等に接触させつつ柄を下方移動させても同様に位置させることができる。このとき、柄と蓋は接続部材にて関連づけられているので、蓋は自動的に開となる。
そして、ほうき等にてゴミを掃き寄せてケース内に掃き入れる。その後、柄を上方移動させるとケースは直立して蓋が閉まって初期状態位置となる。このゴミを収納したケースをゴミ廃棄場所まで移動させ、廃棄場所に至ったときに、柄を片方の手に持ったまま紐を引くことにて、ケースは柄に対して回動し、蓋が開いて中のゴミを落下させることができる。紐を緩めるとケースは再び元の位置へと回動して蓋の閉まった直立状態とすることができる。また、図示のごとくケース底部の一方には脚部が、他方にはローラーが回動可能に位置している。従って、図３のように直立させて静止ができるとともに、図７のごとく、柄を少し持ち上げてローラーのみが地面や床に接する状態にすることができて、本品を容易に移動させることができる。なお、ケースを地面に沿わせたときに、ローラー外面はやはり地面に接してケースの水平を維持できるようローラーの外径を設けている。【０００９】  図８は、本案の他例を示すものである。本例は前例がベアリング内蔵のローラーとしたのに対し、本例はベアリングを用いない構成としたものである。
図において、２０はステー、２１は孔と段部を有するローラー軸、２２は有孔のローラー、２３はローラー軸端の孔に圧入されるキャップである。ローラー軸径に対しローラー孔内径はやや大きく、またこのローラー孔内径よりローラー軸の大径部分の外径は大である。従って、図８のようにローラーは自由に回動しつつその軸方向の移動は制限される。
なお、図１の仮想線にて示すように、Ｕ形の金属部材等による紐保護部材９を柄に添設すれば、紐をこの紐保護部材内に通すことにて、紐のぶら付きを防止して、紐の安定保持を可能とすることができる。【００１０】  以上、本案について記したが、本案は柄とケース底部間に紐を設けたところにその特徴を有するものである。従来は図９および図１０にて示すように、紐がないので既述のごとくゴミの排出時のわずらわしさがあったが、本案では紐を引くことにてゴミを収納したケースを自在に傾けて、中のゴミを排出させることのできる利便性を有するものとなったのである。また、ローラーを備えているために、ケース移動を容易に行えるものとなったのである。従来品はこのローラーを備えていないので、その移動時にはケースごと持ち上げて移動しなければならず、重量物のゴミを収納したり、長い距離を移動するときには不便であったが、本案ではローラーのみを地面等に接しての転がし移動が可能となり、移動の容易性が得られるものとなったのである。
なお、記述例では脚部間にワイヤーを張設して、このワイヤーに紐の一端を結びつけるものとしたが、ワイヤーに代えて紐を用いてもよく、あるいはワイヤー等を張設せずに、ケース底部適所にフック等を設けて、このフックに紐を結びつけるものとしてもよい。
また、紐に代えてワイヤーやチェーンなどを用いてもよい。既例では紐の一端を握持部に結びつけたが、柄の適所にフックや環体を取り付けて、これに紐を結びつけたものとしてもよい。なお、紐の一部に棒体を用いたり、あるいは紐に代えて棒体を用いるスタイルとしてもよい。以上のごとく、本案によって便利に使用できるケース型のちりとりを得ることができる。
【符号の説明】
【００１１】  １    ケース
２    蓋
３    脚部
４    柄
５    握持部
６    ワイヤー
７    紐
８    接続部材
９    紐保護部材
１０  ステー
１１  ローラー軸
１２  ローラー
１３  ラジアルベアリング
１４  外方キャップ
１５  内方キャップ
２０  ステー
２１  ローラー軸
２２  ローラー
２３  キャップ
【図１】
0003188428.tif 000003
【図２】
0003188428.tif 000004
【図３】
0003188428.tif 000005
【図４】
0003188428.tif 000006
【図５】
0003188428.tif 000007
【図６】
0003188428.tif 000008
【図７】
0003188428.tif 000009
【図８】
0003188428.tif 000010
【図９】
0003188428.tif 000011
【図１０】
0003188428.tif 000012